(57)【要約】  空調吹出口の風向調整装置であって、空調機に空気調和された空気が吹き出る空調吹出口の前方に配置され、空調吹出口から吹き出される空気を受ける面板部と、面板部を空調吹出口の前方に取り付ける取付部と、面板部に配置される抗菌部材であって、除菌性を有する物質である抗菌剤と、微細孔を有する袋材に抗菌剤を収容する袋体と、を有する抗菌部材と、を備え、面板部は抗菌部材が格納されるトレー状の筐体部と、筐体部の上部開口を一部覆い、空調吹出口から吹き出されて抗菌部材を通過する空気の通気量を制限する通気口を有するカバー部と、を有する。  上記構成により、除菌性の物質を簡易な構成で室内へ効果的に拡散させることができる。
2017061033.tif 000002
【特許請求の範囲】
【請求項１】
空調機に空気調和された空気が吹き出る空調吹出口の前方に配置され、前記空調吹出口から吹き出される空気を受ける面板部と、  前記面板部を前記空調吹出口の前方に取り付ける取付部と、  前記面板部に配置される抗菌部材であって、除菌性を有する物質である抗菌剤と、微細孔を有する袋材に前記抗菌剤を収容する袋体と、を有する抗菌部材と、を備え、  前記面板部は、    前記抗菌部材が格納されるトレー状の筐体部と、    前記筐体部の上部開口を一部覆い、前記空調吹出口から吹き出されて前記抗菌部材を通過する空気の通気量を制限する通気口を有するカバー部と、を有する、  空調吹出口の風向調整装置。
【請求項２】
前記カバー部は、前記上部開口のうち前記空調吹出口から吹き出る空気の下流側の部分を覆う、  請求項１に記載の空調吹出口の風向調整装置。
【請求項３】
前記通気口は、前記空調吹出口から吹き出る空気の流れ方向に沿って長手方向が延在する楕円形状で前記カバー部に形成される、  請求項１または２に記載の空調吹出口の風向調整装置。
【請求項４】
前記抗菌剤は、多孔性の無機質固形担体に二酸化塩素を担持させた粒子状の抗菌剤であり、  前記袋材は、全面に前記無機質固形担体の粒径より小さな径の微細孔を有する、  請求項１から３の何れか一項に記載の空調吹出口の風向調整装置。
【請求項５】
前記取付部は、前記空調吹出口に対する前記面板部の取付角を調整可能な角度調整部を有する、  請求項１から４の何れか一項に記載の空調吹出口の風向調整装置。
【発明の詳細な説明】
【技術分野】
【０００１】  本願は、空調吹出口の風向調整装置を開示する。
【背景技術】
【０００２】  近年、ビルや店舗、病院、家屋等の各種建物には、室内の空気調和を行う空調機が設置されている。空調機には、天井や壁等に埋め込むタイプや、天井から吊り下げるタイプ、壁面に据え付けるタイプがあるが、何れも空気調和された空気を室内へ吹き出す空調吹出口が備わっている点で共通する。【０００３】  ところで、空気の比重が温度に反比例するため、暖かい空気は室内の上部に溜まる。また、冷たい空気は室内の下部に溜まる。よって、空調機は、例えば、冷房運転を行う場合には室内の上部に溜まる暖かい空気を効率的に吸い込んで空気調和できるように、空調吹出口から室内の下部へ向けて冷気を吹き出す。したがって、空調吹出口から吹き出る冷気が室内の人へ当たるのを避けるために、例えば、特許文献１に示すような、空調吹出口の風向を調整する器具が市販されている。
【先行技術文献】
【特許文献】
【０００４】
【特許文献１】実用新案登録第３１１４１７０号公報
【発明の概要】
【発明が解決しようとする課題】
【０００５】  近年、伝染病の集団感染や集団食中毒の発生等が報道機関で報じられ、公衆の衛生意識が高まりつつある。そして、室内を漂う病原菌を除菌する各種の空間除菌用品が開発されている。【０００６】  ところで、従来より開発されている空間除菌用品の多くは、除菌性の物質を能動的に拡散させるために送風機類を内蔵させた機械装置、或いは、除菌性の物質を受動的に拡散させる単純構造の製品の何れかに大別される。しかし、前者の機械装置は、後者の単純構造の製品よりも概して高価であり、また、室内に設置される空調吹出口からの気流の影響を受けるので除菌性の物質が性能通りに室内へ行き渡るか否かが定かでない。また、後者の単純構造の製品は、前者の機械装置より安価であるものの、除菌性の物質の拡散が周囲の気流に委ねられるため、十分な除菌性能が発揮されるとは言い難い。【０００７】  そこで、本願は、除菌性の物質を簡易な構成で室内へ効果的に拡散させることができる技術を提供することを課題とする。
【課題を解決するための手段】
【０００８】  上記課題を解決するため、本発明では、微細孔を有する袋材に抗菌剤を収容した抗菌部材が配置される風向調整装置の面板部に、抗菌部材が格納されるトレー状の筐体部と、筐体部の上部開口を一部覆うカバー部とを設け、当該カバー部に抗菌部材を通過する空気の通気量を制限する通気口を設けることにした。【０００９】  詳細には、空調吹出口の風向調整装置であって、空調機に空気調和された空気が吹き出る空調吹出口の前方に配置され、空調吹出口から吹き出される空気を受ける面板部と、面板部を空調吹出口の前方に取り付ける取付部と、面板部に配置される抗菌部材であって、除菌性を有する物質である抗菌剤と、微細孔を有する袋材に抗菌剤を収容する袋体と、を有する抗菌部材と、を備え、面板部は、抗菌部材が格納されるトレー状の筐体部と、筐体部の上部開口を一部覆い、空調吹出口から吹き出されて抗菌部材を通過する空気の通気量を制限する通気口を有するカバー部と、を有する。【００１０】  上記の風向調整装置であれば、空調機の空調吹出口から強制的に吹き出される空気の流れで除菌性の物質を拡散させることができるので、除菌性の物質を拡散させるために送風機類を内蔵させた機械装置を用意する必要がない。また、除菌性の物質を受動的に拡散させる単純構造の製品よりも確実に室内空間へ除菌性の物質を行き渡らせることができるので、十分な除菌性能が期待できる。また、通気口を有するカバー部が抗菌部材を透過する空気の通気量を制限するので、空調機の運転状態に応じて空調吹出口からの風量が変化しても徐放量の変動が抑制され、抗菌剤の効能を安定的に継続できる。【００１１】  なお、カバー部は、上部開口のうち空調吹出口から吹き出る空気の下流側の部分を覆うものであってもよい。上部開口のうち空調吹出口から吹き出る空気の下流側の部分がカバー部で覆われていれば、抗菌部材から離脱した除菌性の物質が、筐体部とカバー部との間の空間内に留まりやすいため、除菌性の物質の徐放量が安定する。【００１２】  また、通気口は、空調吹出口から吹き出る空気の流れ方向に沿って長手方向が延在する楕円形状でカバー部に形成されるものであってもよい。通気口が空気の流れ方向に沿って長手方向に延在する楕円形状でカバー部に形成されていれば、空調吹出口から吹き出た空気の流れが通気口で乱れにくい。【００１３】  また、抗菌剤は、多孔性の無機質固形担体に二酸化塩素を担持させた粒子状の抗菌剤であり、袋材は、全面に無機質固形担体の粒径より小さな径の微細孔を有するものであってもよい。多孔性の担体に二酸化塩素を吸着させたものであれば、空調吹出口から筐体の中へ流入した空気の流れによって二酸化塩素が微粒子表面から解離し、袋体の全面に形成された微細孔から袋体の外へ放出される。そして、筐体内の隙間に二酸化塩素が放出され、通気量を制限する通気口から筐体の外へ徐放される。【００１４】  また、取付部は、空調吹出口に対する面板部の取付角を調整可能な角度調整部を有するものであってもよい。このような風向調整装置であれば、空調吹出口から吹き出る空気を所望の向きへ調整可能である。
【発明の効果】
【００１５】  本発明によれば、除菌性の物質を簡易な構成で室内へ効果的に拡散させることができる。
【図面の簡単な説明】
【００１６】
【図１】図１は、空調機の空調吹出口から吹き出された空気の風向を調整する風向調整装置の取付状態の一例である。
【図２】図２は、風向調整装置の斜視図である。
【図３】図３は、抗菌部材における空気の流れを示した図の一例である。
【発明を実施するための形態】
【００１７】  以下、本発明の実施形態について説明する。以下に示す実施形態は、本発明の一形態であり、本発明の技術的範囲を下記の実施形態に限定するものではない。
【００１８】  図１は、空調機１の空調吹出口２から吹き出された空気の風向を調整する風向調整装置３の取付状態の一例である。風向調整装置３は、図１に示すように、空調機に空気調和された空気が吹き出る空調吹出口２の前方に配置され、空調吹出口２から吹き出される空気を受けるウィングプレート４（本願でいう「面板部」の一例である）と、ウィングプレート４を空調吹出口２の前方に取り付けるためのアーム５（本願でいう「取付部」の一例である）とを備える。
【００１９】  図２は、風向調整装置３の斜視図である。ウィングプレート４は、プラスチックその他の合成樹脂で形成されている。ウィングプレート４は、浅底なトレー状の形態を有する筐体部４Ｋと、筐体部４Ｋの上部開口を一部覆うカバー部４Ｃとを有する。ウィングプレート４には、抗菌部材１２が配置される。抗菌部材１２は、袋体１３を有する部材である。袋体１３には、室内を除菌する除菌性の物質である抗菌剤１５が収容されている。
【００２０】  筐体部４Ｋは、底面部分を形成する主面部６と、長手方向の両端縁において主面部６から立設された壁部７，７とを有する。また、筐体部４Ｋは、当該壁部７，７が形成されていない両側縁に、主面部６に対して傾斜する壁部を形成する上流側傾斜部８および下流側傾斜部９を有する。主面部６の上面の中央部付近には、アーム５を回動自在にウィングプレート４へ取り付けるための角度調整機構１１（本願でいう「角度調整部」の一例である）が設けられている。また、下流側傾斜部９および壁部７，７には、空調吹出口２から吹き出されて抗菌部材１２を通過する空気の通気量を制限する側部通気口１４Ｓが設けられている。
【００２１】  カバー部４Ｃは、筐体部４Ｋの上部開口のうち空調吹出口２から吹き出る空気の下流側の部分を覆う。カバー部４Ｃは、空調吹出口２から吹き出されて抗菌部材１２を通過する空気の通気量を制限する上部通気口１４Ｕを有する。上部通気口１４Ｕは、空調吹出口２から吹き出る空気の流れ方向に沿って長手方向が延在する楕円形状の孔である。カバー部４Ｃは、筐体部４Ｋの上部開口の一部を覆うことにより、抗菌部材１２を格納するための空間である格納部１０をカバー部４Ｃと主面部６との間に形成する。抗菌部材１２は、カバー部４Ｃと主面部６との間に形成される格納部１０内に格納される。
【００２２】  なお、ウィングプレート４に設けられる通気口は、上述したような上部通気口１４Ｕおよび側部通気口１４Ｓの形態に限定されない。ウィングプレート４に設けられる通気口の数、大きさ、形状は、空調吹出口２から吹き出る空気の流速や、袋体１３に収容されている抗菌剤１５の性状等に応じて適宜変更可能であり、室内空間へ拡散させる抗菌性物質の許容量や毒性などを考慮して決定される。
【００２３】  図３は、抗菌部材１２における空気の流れを示した図の一例である。風向調整装置３では、空調吹出口２から吹き出された空気がウィングプレート４の格納部１０内へ流れ込む。そして、格納部１０内に流入する空気が袋体１３を透過する。格納部１０を通過する空気の通気量は、上部通気口１４Ｕや側部通気口１４Ｓの数、大きさ、形状によって制限されている。よって、格納部１０に格納されている袋体１３を透過した空気は、適宜の量の抗菌性物質が添加された状態で抗菌部材１２の下流側へ流れる。抗菌部材１２の下流側へ流れた空気は、上部通気口１４Ｕや側部通気口１４Ｓを経て、風向調整装置３が設置された室内空間へ拡散し、室内空間に浮遊する菌を抗菌性物質で除菌する。
【００２４】  なお、図３に示されるように、主面部６とカバー部４Ｃとの間には、主面部６の上面からカバー部４Ｃへ向けて垂直に円柱状の部位を形成するガイドブッシュ４ＣＧおよびガイドピン６Ｇが備わっている。ガイドブッシュ４ＣＧは、カバー部４Ｃの下面から下方へ向けて突出する円筒状のスリーブである。また、ガイドピン６Ｇは、主面部６の上面から上方へ向けて突出する円柱状の突起である。ガイドピン６Ｇがガイドブッシュ４ＣＧに嵌ることで、筐体部４Ｋとカバー部４Ｃとの締結状態が保たれる。ガイドピン６Ｇおよびガイドブッシュ４ＣＧは、側部通気口１４Ｓからやや離れた位置に配置されており、ウィングプレート４の長手方向に沿って複数（例えば、５個程度）点在している。そして、ガイドピン６Ｇおよびガイドブッシュ４ＣＧは、格納部１０に格納される抗菌部材１２が下流側傾斜部９に触れて側部通気口１４Ｓを塞ぐのを防ぐ閉塞防止体としての機能を果たす。抗菌部材１２が側部通気口１４Ｓからやや離れた位置にあるガイドピン６Ｇおよびガイドブッシュ４ＣＧへ接触することで、側部通気口１４Ｓの閉塞が防止され、格納部１０内から側部通気口１４Ｓを通じて格納部１０の外へ流れる気流が維持され、室内空間へ拡散される抗菌性物質の徐放量が適正に保たれる。
【００２５】  ところで、袋体１３に収容される抗菌剤１５の具体例としては、例えば、多孔性の無機質固形担体に二酸化塩素を担持させた粒子状の抗菌剤が挙げられる。このような抗菌剤が収容される場合、袋体１３を形成する袋材としては、全面に当該無機質固形担体の粒径より小さな径の微細孔を有するものが好ましい。なお、ここでいう全面とは、概ね袋体１３の表面全体という程度の意味であり、微細孔が形成されていない領域を一部に有する袋体１３を排除するものではない。また、抗菌剤１５としては、二酸化塩素に代えて金属イオン等を放つ抗菌性の金属材料等を適用してもよい。また、微細孔の径は、袋体１３に収容される抗菌剤１５の粒径より小さな径であればよい。例えば、抗菌剤１５の粒径が十数ミリメートルある場合には、微細孔の径を１０ミリメートル程度にすることができる。また、例えば、抗菌剤１５の粒径が数ミリメートル程度の場合には、微細孔の径を数ミクロンから数ミリメートル程度の範囲内にすることができる。
【００２６】  二酸化塩素を担持させる無機質固形担体としては、例えば、セピオライトからなる多孔性の微粒子が挙げられる。セピオライトからなる多孔性の微粒子に二酸化塩素を吸着させる方法としては、例えば、亜塩酸ナトリウム水溶液に無機酸を添加し、発生した混合体を亜塩素酸ナトリウム水溶液で洗浄することにより、混合体中の塩素を二酸化塩素に転化して二酸化塩素を生成し、これを無機質固形担体に吸着させる方法がある。セピオライトに吸着された二酸化塩素は、周囲の空気の振動などの物理的な力や微粒子同士の衝突により、セピオライトから解離する。
【００２７】  例えば、袋体１３に収容する抗菌剤１５として、セピオライトからなる多孔性の微粒子に二酸化塩素を吸着させたものを用いる場合、セピオライト微粒子に担持された二酸化塩素は、空調吹出口２から筐体１６の中へ流入した空気の流れによって微粒子表面から解離し、袋体１３の全面に形成された微細孔から袋体１３の外へ放出される。そして、格納部１０内に二酸化塩素が放出され、通気量を制限する上部通気口１４Ｕや側部通気口１４Ｓから格納部１０の外へ徐放される。二酸化塩素は比重が空気より重いので、室内空間へ放たれると室内の下部へ沈降する。よって、天井に設置される空調機１の空調吹出口２に設置する風向調整装置３の抗菌剤１５として用いると、室内空間全体を効果的に除菌できる。また、二酸化塩素は、健康への影響が懸念されているＰＭ（Particulate Matter：微小粒子状物質とも呼ばれ、例えば、ＰＭ２．５等がある）に取り付いて室内空間の下部へ沈降させる効能もある。
【００２８】  上記実施形態の風向調整装置３であれば、空調機１の空調吹出口２から強制的に吹き出される空気の流れで除菌性の物質を拡散させることができるので、除菌性の物質を拡散させるために送風機類を内蔵させた機械装置を用意する必要がない。また、除菌性の物質を受動的に拡散させる単純構造の製品よりも確実に室内空間へ除菌性の物質を行き渡らせることができるので、十分な除菌性能が期待できる。
【００２９】  なお、上記の風向調整装置３は、除菌性を有する物質である抗菌剤１５を袋体１３に収容した抗菌部材１２を備えたものに限定されない。風向調整装置３は、抗菌剤１５に代えて、例えば、芳香剤といった空間に拡散させる各種の気散成分を袋体１３に収容した部材を備えたものであってもよい。抗菌剤１５に代えて芳香剤等の気散成分を袋体１３に収容した風向調整装置であっても、抗菌剤１５を袋体１３に収容した上記の風向調整装置３と同様、気散成分を簡易な構成で室内へ効果的に拡散させることができる。
【符号の説明】
【００３０】１・・空調機２・・空調吹出口３・・風向調整装置４・・ウィングプレート４Ｋ・・筐体部４Ｃ・・カバー部４ＣＧ・・ガイドブッシュ５・・アーム６・・主面部６Ｇ・・ガイドピン７・・壁部８・・上流側傾斜部９・・下流側傾斜部１０・・格納部１１・・角度調整機構１２・・抗菌部材１３・・袋体１４Ｕ・・上部通気口１４Ｓ・・側部通気口１５・・抗菌剤
【図１】
2017061033.tif 000003
【図２】
2017061033.tif 000004
【図３】
2017061033.tif 000005
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
空調機に空気調和された空気が吹き出る空調吹出口の前方に配置され、前記空調吹出口から吹き出される空気を受ける面板部と、
前記面板部を前記空調吹出口の前方に取り付ける取付部と、
前記面板部に配置される抗菌部材であって、除菌性を有する物質である抗菌剤と、微細孔を有する袋材に前記抗菌剤を収容する袋体と、を有する抗菌部材と、を備え、
前記面板部は、
前記抗菌部材が格納されるトレー状の筐体部と、
前記筐体部の上部開口を一部覆い、前記空調吹出口から吹き出されて前記抗菌部材を通過する空気の通気量を制限する通気口を有するカバー部と、を有し、
前記通気口は、前記空調吹出口から吹き出る空気の流れ方向に沿って長手方向が延在する楕円形状で前記カバー部に形成される、
空調吹出口の風向調整装置。
【請求項２】
前記カバー部は、前記上部開口のうち前記空調吹出口から吹き出る空気の下流側の部分を覆う、
請求項１に記載の空調吹出口の風向調整装置。
【請求項３】
前記抗菌剤は、多孔性の無機質固形担体に二酸化塩素を担持させた粒子状の抗菌剤であり、
前記袋材は、全面に前記無機質固形担体の粒径より小さな径の微細孔を有する、
請求項１または２に記載の空調吹出口の風向調整装置。
【請求項４】
前記取付部は、前記空調吹出口に対する前記面板部の取付角を調整可能な角度調整部を有する、
請求項１から３の何れか一項に記載の空調吹出口の風向調整装置。
【国際調査報告】
2017061033.tif 000006
2017061033.tif 000007
2017061033.tif 000008
2017061033.tif 000009